(57)【要約】【課題】外筒に外部から予期せぬ力が加えられても、変形した外筒に追従して変形することにより薬液が漏れることを防止するシリンジ用ガスケット、ガスケット付プランジャー、シリンジ、プレフィルドシリンジを提供する。【解決手段】本発明のシリンジ用ガスケット１は、中空状に形成され先端が閉塞し後端が開口するものであって、プランジャー取付部８と、プランジャー取付部８を取り囲むようにシリンジ用ガスケット１の先端面から後端部付近まで延びる環状溝部６を有する。【選択図】　図２
2004121344.tif 000002
【特許請求の範囲】
【請求項１】
中空状に形成され先端が閉塞し後端が開口したシリンジ用ガスケットであって、該シリンジ用ガスケットは、該シリンジ用ガスケットの内部に設けられたプランジャー取付部と、該プランジャー取付部を取り囲むように前記シリンジ用ガスケットの先端面から後端部付近まで延びる環状溝部を有することを特徴とするシリンジ用ガスケット。
【請求項２】
前記溝部は、前記ガスケットの先端面から後端部に向かうに従って幅が小さくなるものである請求項１に記載のシリンジ用ガスケット。
【請求項３】
前記プランジャー取付部は、プランジャーの先端部を遊嵌状態かつ離脱を抑制する状態にて収納するものである請求項１または２に記載のシリンジ用ガスケット。
【請求項４】
前記シリンジ用ガスケットは、前記ガスケット本体部材の先端部外面に設けられた先端側環状リブと、後端部外面に設けられた後端側環状リブを備えている請求項１ないし３のいずれかに記載のシリンジ用ガスケット。
【請求項５】
前記請求項１ないし４のいずれかに記載のシリンジ用ガスケットと、該シリンジ用ガスケットの前記プランジャー取付部に取り付けられもしくは取り付け可能なプランジャーからなることを特徴とするガスケット付プランジャー。
【請求項６】
前記プランジャーは、先端部に設けられたプランジャー側螺合部を備え、前記ガスケットの前記プランジャー取付部は、前記プランジャー側螺合部と螺合可能なガスケット側螺合部と、該ガスケット側螺合部の前方に形成され前記プランジャー側螺合部を収容可能な収容部を有し、該収容部は、前記プランジャー側螺合部が前記ガスケット側螺合部を越えて該収容部に進入した前記プランジャー側螺合部を遊嵌状態にて収容するものである請求項５に記載のガスケット付プランジャー。
【請求項７】
前記プランジャーは、該プランジャーの先端部に設けられ、前記プランジャーに与えられた押圧力が前記シリンジ用ガスケットに伝達されるように前記シリンジ用ガスケットの後端部に当接可能なガスケット押圧部を備えている請求項６に記載のガスケット付プランジャー。
【請求項８】
前記ガスケット押圧部は、前記環状溝部の後端位置よりガスケットの後端面の内側となる位置に当接するように設けられている請求項７に記載のガスケット付プランジャー。
【請求項９】
前記ガスケット押圧部は、略円板状もしくは略環状に形成されている請求項７または８に記載のガスケット付プランジャー。
【請求項１０】
前記請求項１ないし４のいずれかに記載のシリンジ用ガスケットと、該ガスケットを摺動可能に収納する外筒と、前記ガスケットに取り付けられたもしくは取付可能なプランジャーを備えることを特徴とするシリンジ。
【請求項１１】
前記請求項５ないし９のいずれかに記載のガスケット付プランジャーと、該ガスケットを摺動可能に収納する外筒とを備えることを特徴とするシリンジ。
【請求項１２】
前記シリンジは、プレフィルドシリンジである請求項１０または１１に記載のシリンジ。
【発明の詳細な説明】
【０００１】
【発明の属する技術分野】
本発明は、シリンジ用ガスケット、これを用いるガスケット付プランジャー、シリンジ及びプレフィルドシリンジに関する。
【０００２】
【従来の技術】
従来のシリンジもしくはプレフィルドシリンジにおいては、製造時及び使用時において、落下等により、外筒、特にガスケットが配置された部分に、外部から予期せぬ力が加えられたとき、外筒が変形して外筒内面とガスケットとの間に隙間が生じ薬液が漏出するおそれがあった。
【０００３】
【発明が解決しようとする課題】
そこで、本発明の目的は、上記問題点を解決するものであり、シリンジ用外筒に外部から予期せぬ力が加えられても、変形した外筒に追従して変形することにより薬液が漏れることを防止するシリンジ用ガスケット、それを用いたガスケット付プランジャー、シリンジ及びプレフィルドシリンジを提供することである。
【０００４】
【課題を解決するための手段】
上記目的を達成するものは、以下のものである。
（１）　中空状に形成され先端が閉塞し後端が開口したシリンジ用ガスケットであって、該シリンジ用ガスケットは、該シリンジ用ガスケットの内部に設けられたプランジャー取付部と、該プランジャー取付部を取り囲むように前記シリンジ用ガスケットの先端面から後端部付近まで延びる環状溝部を有することを特徴とするシリンジ用ガスケット。
（２）　前記溝部は、前記ガスケットの先端面から後端部に向かうに従って幅が小さくなるものである上記（１）に記載のシリンジ用ガスケット。
（３）　前記プランジャー取付部は、プランジャーの先端部を遊嵌状態かつ離脱を抑制する状態にて収納するものである上記（１）または（２）に記載のシリンジ用ガスケット。
（４）　前記シリンジ用ガスケットは、前記ガスケット本体部材の先端部外面に設けられた先端側環状リブと、後端部外面に設けられた後端側環状リブを備えている上記（１）ないし（３）のいずれかに記載のシリンジ用ガスケット。
【０００５】
また、上記目的を達成するものは、以下のものである。
（５）　上記（１）ないし（４）のいずれかに記載のシリンジ用ガスケットと、該シリンジ用ガスケットの前記プランジャー取付部に取り付けられもしくは取り付け可能なプランジャーからなることを特徴とするガスケット付プランジャー。
（６）　前記プランジャーは、先端部に設けられたプランジャー側螺合部を備え、前記ガスケットの前記プランジャー取付部は、前記プランジャー側螺合部と螺合可能なガスケット側螺合部と、該ガスケット側螺合部の前方に形成され前記プランジャー側螺合部を収容可能な収容部を有し、該収容部は、前記プランジャー側螺合部が前記ガスケット側螺合部を越えて該収容部に進入した前記プランジャー側螺合部を遊嵌状態にて収容するものである上記（５）に記載のガスケット付プランジャー。
（７）　前記プランジャーは、該プランジャーの先端部に設けられ、前記プランジャーに与えられた押圧力が前記シリンジ用ガスケットに伝達されるように前記シリンジ用ガスケットの後端部に当接可能なガスケット押圧部を備えている上記（６）に記載のガスケット付プランジャー。
（８）　前記ガスケット押圧部は、前記環状溝部の後端位置よりガスケットの後端面の内側となる位置に当接するように設けられている上記（７）に記載のガスケット付プランジャー。
（９）　前記ガスケット押圧部は、略円板状もしくは略環状に形成されている上記（７）または（８）に記載のガスケット付プランジャー。
【０００６】
また、上記目的を達成するものは、以下のものである。
（１０）　上記（１）ないし（４）のいずれかに記載のシリンジ用ガスケットと、該ガスケットを摺動可能に収納する外筒と、前記ガスケットに取り付けられたもしくは取付可能なプランジャーを備えることを特徴とするシリンジ。
（１１）　上記（５）ないし（９）のいずれかに記載のガスケット付プランジャーと、該ガスケットを摺動可能に収納する外筒とを備えることを特徴とするシリンジ。
（１２）　前記シリンジは、プレフィルドシリンジである上記（１０）または（１１）に記載のシリンジ。
【０００７】
【発明の実施の形態】
本発明の実施例であるシリンジ用ガスケットについて説明する。
図１は、本発明の実施例であるシリンジ用ガスケットの正面図、図２は、図１に示すシリンジ用ガスケットの断面図、図３は、図１に示すシリンジ用ガスケットの平面図である。
本発明のシリンジ用ガスケット１は、中空状に形成され先端が閉塞し後端が開口するものであり、プランジャー取付部８と、プランジャー取付部８を取り囲むようにシリンジ用ガスケット１の先端面から後端部付近まで延びる環状溝部６を有する。
【０００８】
この実施例のシリンジ用ガスケット１は、図１，図２に示すように、ほぼ同一外径に延びる本体部４と、本体部４の先端側に設けられ先端側に向かってテーパー状に縮径するテーパー部５を有する。また、ガスケット１は、本体部４の先端部外面に設けられた先端側環状リブ１２ａと、本体部４の後端部外面に設けられた後端側環状リブ１２ｂと、環状溝部６を有している。テーパー部５の頂点部は平坦部となっている。ガスケット１の内部には、後端開口から先端付近まで内部空間７が形成され、内部空間７には、プランジャー取付部８が形成されている。また、シリンジ用ガスケット１の後端面は、平坦に形成されている。シリンジ用ガスケット１の後端面は環状後端面となっている。
環状溝部６は、内部空間７の周囲においてテーパー部５のテーパー面からガスケット１の後端部付近まで延びる環状溝部である。溝部６は、ガスケット１の先端面から後端部に向かうに従って幅が小さくなることが好ましい。この実施例では、溝部６の軸方向の断面形状は、図２に示すように、テーパー部５のテーパー面からガスケット１の後端部付近に向かってテーパー状に縮径した軸方向に長い三角形状（Ｖ溝）となっている。なお、溝部６は、ガスケット１の先端面から後端部付近までほぼ同一幅に形成されていてもよい。溝部６は、シリンジ２５の外筒２６の変形に対して容易に追従可能であり、かつ外筒２６に対して確実に密接可能であるように、言い換えると、外筒２６の変形に追従する柔軟性と外筒２６に対して確実に密接する弾性を発揮可能な位置及び形状に形成されていることが好ましい。
【０００９】
ガスケット１は、本体部４の直径が５〜３０ｍｍ、高さが５〜３０ｍｍ、テーパー部５の傾きについては、テーパー角が１〜５°であることが好ましく、特に、２°であることが好ましい。溝部６の深さは、４〜２９ｍｍであることが好ましく、溝部形成部分のガスケットの軸方向の長さは、ガスケットの全長に対して４／５〜２９／３０となるように作製されていることが好ましい。環状溝部の外径は、３〜２８ｍｍであることが好ましい。ガスケットの先端面（言い換えれば、テーパー部５のテーパー面）における溝部６の幅（水平方向の幅）は、０．５〜３．５ｍｍであることが好ましい。また、溝部６は、ガスケット本体部４の側面から０．３〜５ｍｍの位置に形成されていることが好ましい。
溝部６を有することにより、外筒２６に外部から力が加えられても、外筒２６の変形に対してガスケット１の溝部６より外側部分が容易に変形して追従するので薬液３２が漏出しにくい。
【００１０】
プランジャー取付部８は、ガスケット１の内部の後端側に形成され、プランジャー１５の先端部に設けられたプランジャー側螺合部１８と螺合可能なガスケット側螺合部８である。また、ガスケット１の内部のガスケット側螺合部８より前方には、空間が形成されている。なお、プランジャー取付部としては、螺合部に限定されず、プランジャーの先端部と係合する係合部であってもよい。例えば、シリンジ用ガスケット内部の後部側に形成された縮径部と、縮径部の前方に縮径部より大きく形成された拡径収納部からなり、プランジャーの先端部に設けられた先端拡径部を拡径収納部が収納することにより、プランジャーの先端拡径部を収納して係合する係合部であってもよい（図示せず）。
【００１１】
シリンジ用ガスケット１の構成材料としては、従来からシリンジ用ガスケットに使用されている公知のものが使用できる。例えば、ゴム、エラストマー、ポリオレフィン系樹脂、フッ素系樹脂、ポリエステル系樹脂が挙げられる。ゴムとしては、例えば、天然ゴム、イソプレンゴム、ブチルゴム、クロロプレンゴム、ニトリル−ブタジエンゴム、スチレン−ブタジエンゴム、シリコーンゴムが好ましく、特に、加硫処理したものが好ましい。エラストマーとしては、例えば、ポリ塩化ビニル系エラストマー、ポリオレフィン系エラストマー、スチレン系エラストマー、ポリエステル系エラストマー、ポリアミド系エラストマー、ポリウレタン系エラストマー及びこれらの混合物が好ましい。上記ゴム、エラストマーの中でも、特に、スチレン−ブタジエンゴム、ブチルゴム、スチレン系エラストマーが、好適な硬度、弾性特性を有し、γ線滅菌、電子線滅菌、高圧蒸気滅菌が可能であることから好ましい。
【００１２】
次に、ガスケット付プランジャー１４について説明する。
図４は、本発明の実施例であるガスケット付プランジャーの部分破断正面図、図５は、図４に示すガスケット付プランジャーを構成するシリンジ用ガスケットの後端部付近の拡大図、図６は、図４に示すガスケット付プランジャーを構成するプランジャーの先端部の断面図である。
本発明のガスケット付プランジャー１４は、シリンジ用ガスケット１と、シリンジ用ガスケット１に取り付けられもしくは取り付け可能なプランジャー１５を備えている。
また、ガスケット付プランジャー１４は、プランジャー１４の先端部に設けられ、プランジャー１４に与えられた押圧力がシリンジ用ガスケット１に伝達されるようにシリンジ用ガスケット１の後端部に当接可能なガスケット押圧部１７を備えている。
【００１３】
プランジャー１５は、図４，図６に示すように、断面十字状の軸方向に延びる本体部１６と、プランジャー取付部８と螺合するプランジャー１５の先端部に設けられたプランジャー側螺合部１８と、プランジャー側螺合部１８と本体部１６の間（本体部１６の先端）に設けられたガスケット押圧部１７と、本体部１６の後端に設けられた押圧用の円盤部２３と、本体部１６の途中に設けられたリブ２１を備えている。
ガスケット押圧部１７は、図４，図５，図６に示すように、環状溝部６の後端位置よりガスケット１の後端面１０の内側となる位置に当接するように設けられている。ガスケット押圧部１７は、環状溝部６の後端よりも後方のガスケット１の後端面１０を押圧する。ガスケット押圧部１７の外径は、環状溝部（Ｖ溝）６の後端を結ぶ線からなる円２０より小さく形成されている。具体的に、ガスケット押圧部１７は、環状溝部６の後端を結ぶ線からなる円２０より小径な円板状に形成されている。ガスケット押圧部１７の前方には、プランジャー側螺合部１８が設けられており、ガスケット押圧部１７は、プランジャー側螺合部１８より大径に形成されている。ガスケット押圧部１７は、図５に示すように、プランジャー側螺合部１８より半径方向の外側に突出した部分（円板状の周縁部）の先端面によりシリンジ用ガスケット１の後端面１０を押圧する。また、ガスケット押圧部１７の先端面は、平坦に形成されている。ガスケット押圧部１７をこのような構成とすることにより、プランジャー１５を前方に押圧すると、プランジャー１５により前方に加えられた力により、ガスケット１に形成された環状溝部６を外側に押し広げようとする力が生まれるため、薬液注入時において、シリンジ内面３３とガスケット外面とが密着して、薬剤収納部２９から薬液３２が漏れることはない。また、ガスケット押圧部１７は、ガスケット後端を均等に押圧するものであることが好ましく、横断面形状が円形であることが好ましいが、六角形状、五角形状等の多角形であってもよい。また、ガスケット押圧部は、環状に形成されていてもよい。この場合、押圧部は、環状リブとなる。環状リブの形状としては、円形が好ましいが、六角形、五角形等の多角形であってもよい。
【００１４】
プランジャー側螺合部１８は、図４，図６に示すように、ガスケット押圧部１７の前方に設けられた筒状部１９と、筒状部１９の外面に形成されたねじ山２２からなる。プランジャー側螺合部１８の先端面は、平坦に形成されている。
プランジャーの先端部は、螺合部に限定されるものではなく、上述したように、棒状部と、棒状部の先端部に設けられた先端拡径部からなり、縮径部と縮径部より前方に縮径部より大きく形成された拡径収納部からなるプランジャー取付部と係合するように構成されている係合部であってもよい（図示せず）。
【００１５】
次に、本発明のシリンジ用ガスケットを使用したシリンジ及びプレフィルドシリンジについて説明する。図７は、本発明の実施例であるプレフィルドシリンジの部分破断正面図である。
本発明のシリンジ２５は、図７に示すように、シリンジ用ガスケット１と、ガスケット１を摺動可能に収納する外筒２６と、ガスケット１に取り付けられたもしくは取付可能なプランジャー１５とからなる。
具体的に、シリンジ２５は、先端部に注射針取付部２７もしくは注射針（図示せず）が設けられた外筒２６と、外筒２６内に液密かつ気密状態にて摺動可能に収納されたシリンジ用ガスケット１と、シリンジ用ガスケット１のプランジャー取付部８に取り付けられたプランジャー１５からなる。
【００１６】
本発明のプレフィルドシリンジ３０は、図７に示すように、上述したシリンジ用ガスケット１と、ガスケット１を摺動可能に収納した外筒２６と、ガスケット１に取り付けられたもしくは取付可能なプランジャー１５を有する。さらに、プレフィルドシリンジ３０は、外筒２６の先端開口を封止する封止部材２８と、外筒２６内に収納された薬剤３２を備えている。
具体的に、プレフィルドシリンジ３０は、先端部に先端開口部である注射針取付部２７が設けられ後端部にフランジ３１が対向して設けられた外筒２６と、注射針取付部２７を封止する封止部材であるシールキャップ２８と、外筒２６内を液密かつ気密に摺動可能なシリンジ用ガスケット１と、シリンジ用ガスケット１の後端部に先端部が取り付けられたプランジャー１５と、封止部材２８と外筒内面３３とシリンジ用ガスケット１との間に形成された薬剤収納部２９と、薬剤収納部２９に収納された薬剤３２からなる。なお、注射針取付部２７には、シールキャップ２８ではなく、注射針が取り付けられていてもよい。また、シールキャップとしては、図７に示すように、両頭針を直接挿通可能なタイプが好ましい。
【００１７】
外筒２６は、透明もしくは半透明材料により、好ましくは、酸素透過性、水蒸気透過性の少ない材料により形成されている。外筒２６の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
薬剤３２は、外筒２６とガスケット１とシールキャップ２８により形成される空間内に収納されている。薬剤としては、ニトログリセリン、シクロスポリン、ベンゾジアゼピン系薬剤、高濃度塩化ナトリウム注射液、ビタミン剤、ミネラル類、抗生物質などの薬液、さらには、タンパク製剤等の粉末状もしくは凍結乾燥薬剤あるいは液剤が使用される。
【００１８】
そして、プランジャー１５およびシールキャップ２８の構成材料としては、高密度ポリエチレン、ポリプロピレン、ポリスチレン、ポリエチレンテレフタレート等の硬質もしくは半硬質樹脂を用いることが好ましい。
そして、本発明のシリンジ用ガスケット１は、シリンジ以外の薬液注入器具に使用してもよい。さらに、本発明のシリンジは、プレフィルドシリンジ以外のシリンジに用いてもよい。
以上のような構成により本発明のシリンジ及びプレフィルドシリンジは、外部から圧力が加わり外筒２６が変形しても、ガスケット１の溝部６より外側部分が容易に変形に追従するため薬剤収納部２９から薬液３２が漏出することがない。また、プランジャー１５が傾いてもガスケット１の溝部６より内側部分のみ傾き外側部分は傾きにくいため薬剤収納部２９から薬液３２が漏出することがない。
【００１９】
次に、本発明の他の実施例であるシリンジ用ガスケットについて説明する。
図８は、本発明の他の実施例であるシリンジ用ガスケットの正面図、図９は、図８に示すシリンジ用ガスケットの断面図、図１０は、図８に示すシリンジ用ガスケットの平面図である。
本発明のシリンジ用ガスケット４０は、中空状に形成され先端が閉塞し後端が開口するものであって、プランジャー取付部４９と、シリンジ用ガスケット４０の内部に設けられたプランジャー取付部４９を取り囲むようにシリンジ用ガスケット４０の先端面から後端部付近まで延びる環状溝部４６を有する。
【００２０】
この実施例のシリンジ用ガスケット１は、図８，図９に示すように、ほぼ同一外径に延びる本体部４４と、本体部４４の先端側に設けられ先端側に向かってテーパー状に縮径するテーパー部４５を有する。また、ガスケット４０は、本体部４４の先端部外面に設けられた先端側環状リブ５２ａと、本体部４４の後端部外面に設けられた後端側環状リブ５２ｂと、溝部４６を有している。ガスケット４０の内部には、後端開口から先端付近まで内部空間が形成され、内部空間には、プランジャー取付部４９が形成されている。テーパー部４５の内面の頂点部（言い換えれば、内部空間の先端部内面の中心部）には、半球状リブが形成されている。
溝部４６は、プランジャー取付部４９（内部空間）の周囲においてテーパー部４５のテーパー面からガスケット４０の後端部付近まで延びる環状溝部である。溝部４６は、ガスケット４０の先端面から後端部に向かうに従って幅が小さくなることが好ましい。この実施例では、溝部４６の軸方向の断面形状は、テーパー部４５のテーパー面からガスケット４０の後端部付近に向かってテーパー状に縮径した軸方向に長い三角形状（Ｖ溝）となっている。なお、溝部４６は、ガスケット４０の先端面から後端部付近までほぼ同一幅に形成されていてもよい。溝部４６は、外筒２６の変形に対して容易に追従可能であり、かつ外筒２６に対して確実に密接可能であるように、言い換えると、外筒２６の変形に追従する柔軟性と外筒２６に対して確実に密接する弾性を発揮可能な位置及び形状に形成されていることが好ましい。
【００２１】
ガスケット４０は、本体部４４の直径が５〜３０ｍｍ、高さが５〜３０ｍｍ、テーパー部４５のテーパー角が１〜５°であることが好ましい。溝部４６の深さは、４〜２９ｍｍであることが好ましく、溝部形成部分のガスケットの軸方向の長さは、ガスケットの全長に対して４／５〜２９／３０となるように作製されていることが好ましい。環状溝部の外径は、３〜２８ｍｍであることが好ましい。ガスケットの先端面（言い換えれば、テーパー部４５のテーパー面）における溝部４６の幅（水平方向の幅）は、０．５〜３．５ｍｍであることが好ましい。また、溝部４６は、ガスケット本体部４４の側面から０．３〜５ｍｍの位置に形成されていることが好ましい。
溝部４６を有することにより、外筒２６に外部から力が加えられても、外筒２６の変形に対してガスケット４０の溝部４６より外側部分が容易に変形して追従するので薬液３２が漏出しにくい。
【００２２】
プランジャー取付部４９は、プランジャー５５の先端部を遊嵌状態かつ離脱を抑制する状態にて収納するものである。また、プランジャー取付部４９は、ガスケット４０の内部に形成され、プランジャー５５の先端部をガスケット４０に対して若干斜めに傾到可能に取り付けるものである。
プランジャー取付部４９は、プランジャー側螺合部６０と螺合可能なガスケット側螺合部５０と、ガスケット側螺合部５０の前方に形成されプランジャー側螺合部６０を収容可能な収納部５１を有し、収納部５１は、プランジャー側螺合部６０がガスケット側螺合部５０を越えて収納部５１に進入したプランジャー側螺合部６０を遊嵌状態にて収納するものである。
【００２３】
ガスケット側螺合部５０は、ガスケット４０の後端部内面に設けられている。ガスケット側螺合部５０の内径は、プランジャー側螺合部６０の外径より小さくなっている。収納部５１は、プランジャー側螺合部６０が収納部５１に収納された状態で、シリンジ用ガスケット４０に対してプランジャー５５が若干傾到可能であるように、プランジャー側螺合部６０よりひとまわり大きく作製されている。なお、プランジャー取付部は、プランジャーの先端部と若干傾到可能に遊嵌するものであればいかなる形状であってもよい。これにより、使用時及び製造時、特に、プランジャー５５は外筒２６の基端部付近に位置するとき、プランジャー５５が傾いたとしてもガスケット４０自体は傾きにくいため、薬液３２が漏出することがない。
シリンジ用ガスケットの構成材料としては、上述したものが使用される。
【００２４】
次に、ガスケット付プランジャー５４について説明する。
図１１は、本発明の他の実施例であるガスケット付プランジャーの部分破断正面図、図１２は、図１１に示すガスケット付プランジャーを構成するシリンジ用ガスケットの後端部付近の拡大図、図１３は、図１１に示すガスケット付プランジャーを構成するプランジャーの先端部の断面図である。
本発明のガスケット付プランジャー５４は、シリンジ用ガスケット４０と、シリンジ用ガスケット４０に取り付けられもしくは取り付け可能なプランジャー５５を備えている。
【００２５】
プランジャー５５は、断面十字状の軸方向に延びる本体部５６と、プランジャー取付部４９と係合するプランジャー５５の先端部に設けられた係合部５８と、係合部５８とプランジャー本体部５６の境界部に設けられたガスケット押圧部５７と、本体部５６の後端に設けられた押圧用の円盤部６１と、本体部５６の途中に設けられたリブ６２を備えている。
係合部５８は、ガスケット押圧部５７の前方に設けられた筒状部５９と、筒状部５９の先端部外面に設けられ、プランジャー取付部４９のガスケット側螺合部５０と螺合可能なプランジャー側螺合部６０を備えている。このような構成により、プランジャー側螺合部６０がガスケット側螺合部５０を越えて収容部５１に進入したとき、係合部５８とプランジャー取付部４９とが遊嵌状態になるようにプランジャー側螺合部６０が収納部５１内に収納される。
【００２６】
ガスケット押圧部５７は、図１１，図１２，図１３に示すように、環状溝部４６の後端位置よりガスケット４０の後端面８０の内側となる位置に当接するように設けられている。ガスケット押圧部５７は、環状溝部４６の後端よりも後方のガスケット１の後端面８０を押圧する。ガスケット押圧部５７の外径は、環状溝部（Ｖ溝）４６の後端を結ぶ線からなる円４７より小さく形成されている。具体的に、ガスケット押圧部５７は、環状溝部４６の後端を結ぶ線からなる円４７より小径な円板状に形成されている。ガスケット押圧部５７の前方には、係合部５８が設けられており、ガスケット押圧部５７は、係合部５８より大径に形成されている。そして、ガスケット押圧部５７は、図１２に示すように、係合部５８より半径方向の外側に突出した部分（円板状の周縁部）の先端面によりシリンジ用ガスケット４０の後端面を押圧する。また、ガスケット押圧部５７の先端面は、平坦に形成されている。また、ガスケット押圧部５７の縁端部は面取りされている。ガスケット押圧部５７をこのような構成とすることにより、プランジャー５５を前方に押圧すると、プランジャー５５により前方に加えられた力により、ガスケット４０に形成された環状溝部４６を外側に押し広げようとする力が生まれるため、薬液注入時において、シリンジ内面３３とガスケット外面とが密着して、薬剤収納部２９から薬液３２が漏れることはない。また、ガスケット押圧部５７は、ガスケット後端を均等に押圧するものであることが好ましく、横断面形状が円形であることが好ましく、六角形状、五角形状等の多角形であってもよい。また、ガスケット押圧部は、環状に形成されていてもよい。この場合は、押圧部は、環状リブとなる。環状リブの形状としては、円形が好ましいが、六角形状、五角形状等の多角形であってもよい。
【００２７】
次に、本発明のシリンジ用ガスケットを使用したシリンジ及びプレフィルドシリンジについて説明する。図１４は、本発明の他の実施例であるプレフィルドシリンジの部分破断正面図である。
本発明のシリンジ６５は、図１４に示すように、シリンジ用ガスケット４０と、ガスケットを摺動可能に収納する外筒２６と、ガスケット４０に取り付けられたもしくは取付可能なプランジャー５５とからなる。
具体的に、シリンジ６５は、先端部に注射針取付部２７もしくは注射針（図示せず）が設けられた外筒２６と、外筒２６内に液密かつ気密状態にて摺動可能に収納されたシリンジ用ガスケット４０と、シリンジ用ガスケット４０のプランジャー取付部４９に取り付けられたプランジャー５５からなる。
【００２８】
本発明のプレフィルドシリンジ７０は、図１４に示すように、上述したシリンジ用ガスケット４０と、ガスケット４０を摺動可能に収納した外筒２６と、ガスケット４０に取り付けられたもしくは取付可能なプランジャー５５を有する。さらに、プレフィルドシリンジ５５は、外筒２６の先端開口を封止する封止部材２８と、外筒２６内に収納された薬剤３２を備えている。
具体的には、プレフィルドシリンジ７０は、先端部に先端開口部である注射針取付部２７が設けられ後端部にフランジ３１が対向して設けられた外筒２６と、注射針取付部２７を封止する封止部材であるシールキャップ２８と、外筒２６内を液密かつ気密に摺動可能なシリンジ用ガスケット４０と、シリンジ用ガスケット４０の後端部に先端部が取り付けられたプランジャー５５と、封止部材２８と外筒内面３３とシリンジ用ガスケット４０との間に形成された薬剤収納部２９と、薬剤収納部２９に収納された薬剤３２からなる。外筒２６、薬剤３２及びシールキャップ２８については上述した通りである。
【００２９】
そして、本発明のシリンジ用ガスケット４０は、シリンジ以外の薬液注入器具に使用してもよい。さらに、本発明のシリンジは、プレフィルドシリンジ以外のシリンジに用いてもよい。
以上のような構成により本発明のシリンジ及びプレフィルドシリンジは、外部から圧力が加わり外筒２６が変形しても、ガスケット４０の溝部４６より外側部分が容易に変形に追従するため薬剤収納部２９から薬液３２が漏出することがない。また、プランジャー５５が傾いてもガスケット４０の溝部４６より内側部分のみ傾き外側部分は傾きにくいため薬剤収納部２９から薬液３２が漏出することがない。
【００３０】
【発明の効果】
本発明のシリンジ用ガスケットは、中空状に形成され先端が閉塞し後端が開口したシリンジ用ガスケットであって、該シリンジ用ガスケットの内部に設けられたプランジャー取付部と、該プランジャー取付部を取り囲むように前記シリンジ用ガスケットの先端面から後端部付近まで延びる環状溝部を有する。
このため、本発明は、シリンジ用外筒に外部から予期せぬ力が加えられても、変形した外筒に追従して変形することにより薬液が漏れることを防止する。
【００３１】
また、本発明のガスケット付プランジャーは、前記シリンジ用ガスケットと、該シリンジ用ガスケットの前記プランジャー取付部に取り付けられもしくは取り付け可能なプランジャーからなる。
このため、本発明は、シリンジ用外筒に外部から予期せぬ力が加えられても、変形した外筒に追従して変形することにより薬液が漏れることを防止する。
【００３２】
また、本発明のシリンジは、前記シリンジ用ガスケットと、該ガスケットを摺動可能に収納する外筒と、前記ガスケットに取り付けられたもしくは取付可能なプランジャーを備える。
このため、本発明は、シリンジ用外筒に外部から予期せぬ力が加えられても、変形した外筒に追従して変形することにより薬液が漏れることを防止する。
【図面の簡単な説明】
【図１】図１は、本発明の実施例であるシリンジ用ガスケットの正面図である。
【図２】図２は、図１に示すシリンジ用ガスケットの断面図である。
【図３】図３は、図１に示すシリンジ用ガスケットの平面図である。
【図４】図４は、本発明の実施例であるガスケット付プランジャーの部分破断正面図である。
【図５】図５は、図４に示すガスケット付プランジャーを構成するシリンジ用ガスケットの後端部付近の拡大図である。
【図６】図６は、図４に示すガスケット付プランジャーを構成するプランジャーの先端部の断面図である。
【図７】図７は、本発明の実施例であるプレフィルドシリンジの部分破断正面図である。
【図８】図８は、本発明の他の実施例であるシリンジ用ガスケットの正面図である。
【図９】図９は、図８に示すシリンジ用ガスケットの断面図である。
【図１０】図１０は、図８に示すシリンジ用ガスケットの平面図である。
【図１１】図１１は、本発明の他の実施例であるガスケット付プランジャーの部分破断正面図である。
【図１２】図１２は、図１１に示すガスケット付プランジャーを構成するシリンジ用ガスケットの後端部付近の拡大図である。
【図１３】図１３は、図１１に示すガスケット付プランジャーを構成するプランジャーの先端部の断面図である。
【図１４】図１４は、本発明の他の実施例であるプレフィルドシリンジの部分破断正面図である。
【符号の説明】
１　シリンジ用ガスケット
６　環状溝部
８　プランジャー取付部
【図１】
2004121344.tif 000003
【図２】
2004121344.tif 000004
【図３】
2004121344.tif 000005
【図４】
2004121344.tif 000006
【図５】
2004121344.tif 000007
【図６】
2004121344.tif 000008
【図７】
2004121344.tif 000009
【図８】
2004121344.tif 000010
【図９】
2004121344.tif 000011
【図１０】
2004121344.tif 000012
【図１１】
2004121344.tif 000013
【図１２】
2004121344.tif 000014
【図１３】
2004121344.tif 000015
【図１４】
2004121344.tif 000016